(57)【要約】【課題】位置検出機能のないカメラ付き携帯電話機を用いて撮影を行い、得られた画像を真正なユーザだけがプリントできる写真サービスシステムを提供する。【解決手段】Ｓ１０では、フォトラリーを終了した携帯ユーザが処理センタ１の作業スタッフに再びＩＣチップ付き入場券７を提示して記念プリントを注文する。処理部１２がＩＣチップ付き入場券７からＩＣチップリーダ１３で固有の入場券ＩＤを読み取ると、読み取った入場券ＩＤに対応する画像を画像ＤＢ１６から抽出する。そして、抽出された画像に対応する撮影場所情報に基づき、画像をテンプレート画像の所定位置に合成する。合成した画像はプリンタ５でプリントして携帯ユーザに提供する。【選択図】  図４
2005339337.tif 000002
【特許請求の範囲】
【請求項１】
ＩＣチップ付き入場券のＩＣチップに記憶されている固有の入場者識別情報とカメラ付き携帯電話機に固有の携帯電話機識別情報とを対応させて第１の記憶媒体に記憶させる第１記憶制御手段と、
カメラ付き携帯電話機から画像を受信する受信手段と、
前記画像を送信した携帯電話機に固有の携帯電話機識別情報に対応する入場者識別情報に前記受信した画像を対応させて第２の記憶媒体に記憶させる第２記憶制御手段と、
ＩＣチップ付き入場券から固有の入場者識別情報を読み取る読取手段と、
ＩＣチップ付き入場券から読み取られた入場者識別情報に対応する画像をプリントするプリント手段と、
を備える写真サービスシステム。
【請求項２】
カメラ付き携帯電話機から送信された電子メールから携帯電話機識別情報として固有のメールアドレスを取得する取得手段と、
一意的な仮入場者識別情報を発行して前記カメラ付き携帯電話機に送信するとともに、前記電子メールから取得したメールアドレスと前記発行した仮入場者識別情報とを対応させて前記第１の記憶媒体に記憶させる発行手段と、
仮入場者識別情報の入力操作を受け付ける操作手段と、
をさらに備え、
前記第１記憶制御手段は前記入力された仮入場者識別情報と前記第１の記憶媒体に記憶された仮入場者識別情報とを比較し、前記入力された仮入場者識別情報と一致する仮入場者識別情報を前記第１の記憶媒体から特定し、特定された仮入場者識別情報に対応するメールアドレスを前記第１の記憶媒体から抽出し、抽出されたメールアドレスとＩＣチップ付き入場券から読み取られた入場者識別情報とを対応づけて前記第１の記憶媒体に記憶させ、
前記第２記憶制御手段は前記画像を送信した携帯電話機に固有のメールアドレスに対応する入場者識別情報を前記第１の記憶媒体から抽出し、抽出された入場者識別情報に前記受信した画像を対応させて前記第２の記憶媒体に記憶させる請求項１に記載の写真サービスシステム。
【請求項３】
前記受信手段はカメラ付き携帯電話機のユーザが撮影を行うべき施設内の所定の場所であるフォトスポットの場所に関する情報である場所情報を前記画像とともに受信し、
前記第２記憶制御手段は前記場所情報を前記画像に対応させて前記第２の記憶媒体に記憶させ、
前記プリント手段は所定のテンプレート画像における前記場所情報に対応する位置に前記場所情報に対応する画像を合成した合成画像をプリントする請求項１又は２に記載の写真サービスシステム。
【請求項４】
前記場所情報はカメラ付き携帯電話機から入力されたフォトスポットの番号である請求項３に記載の写真サービスシステム。
【発明の詳細な説明】
【技術分野】
【０００１】
本発明は写真サービスシステムに係り、特に施設内の所定位置で撮影された画像をプリントする写真サービスシステムに関する。
【背景技術】
【０００２】
従来、テーマパークなどの施設で写真撮影の促進を図るシステムが様々提案されている。例えば、特許文献１によると、携帯電話端末が位置情報とユーザＩＤをサービスサーバに伝送し、マーク画像をサービスサーバから取得して表示し、サービスサーバでは各携帯電話端末の位置情報とユーザＩＤとを対応づけて記憶するとともに予め決められた位置群を通過したか否かを判定する手段とを設けることにより、携帯電話端末を用いたスタンプラリーを自動的に実施することができる。
【特許文献１】特開２００２−３０６６６１号公報
【発明の開示】
【発明が解決しようとする課題】
【０００３】
ところで、上述の特許文献１によると、不正なマークデータ（各地点のスタンプイメージに代わる画像）取得を防止するために、携帯電話端末から送信された位置情報に基づいて所定の位置群を通過したか否かを判断している。即ち、携帯電話端末からサービスサーバに位置情報を送る機能、具体的には複数の携帯電話基地局からの電波の到達時間差、到達角度差、ＧＰＳなどを用いた位置検出機構を携帯電話端末に設ける必要がある。しかし、一般向けの娯楽施設を訪れるユーザの保有する携帯電話端末がかかる機能を有しているとは限らないため、特許文献１のシステムを利用できる携帯電話端末が位置情報検出機能付きのものに限定されるという問題がある。本発明はこのような問題点に鑑みてなされたもので、位置検出機能のないカメラ付き携帯電話機を用いて撮影を行い、得られた画像を真正なユーザだけがプリントできる写真サービスシステムを提供することを目的とする。
【課題を解決するための手段】
【０００４】
上述の課題を解決するため、請求項１に係る発明は、ＩＣチップ付き入場券のＩＣチップに記憶されている固有の入場者識別情報とカメラ付き携帯電話機に固有の携帯電話機識別情報とを対応させて第１の記憶媒体に記憶させる第１記憶制御手段と、カメラ付き携帯電話機から画像を受信する受信手段と、前記画像を送信した携帯電話機に固有の携帯電話機識別情報に対応する入場者識別情報に前記受信した画像を対応させて第２の記憶媒体に記憶させる第２記憶制御手段と、ＩＣチップ付き入場券から固有の入場者識別情報を読み取る読取手段と、ＩＣチップ付き入場券から読み取られた入場者識別情報に対応する画像をプリントするプリント手段と、を備える写真サービスシステムを提供する。
【０００５】
この発明によると、ＩＣチップ付き入場券から読み取られた入場者識別情報に対応する画像をプリントするため、ＩＣチップ付き入場券を保有する真正なユーザだけが画像をプリントできる。
【０００６】
請求項２に係る発明は、カメラ付き携帯電話機から送信された電子メールから携帯電話機識別情報として固有のメールアドレスを取得する取得手段と、一意的な仮入場者識別情報を発行して前記カメラ付き携帯電話機に送信するとともに、前記電子メールから取得したメールアドレスと前記発行した仮入場者識別情報とを対応させて前記第１の記憶媒体に記憶させる発行手段と、仮入場者識別情報の入力操作を受け付ける操作手段と、をさらに備え、前記第１記憶制御手段は前記入力された仮入場者識別情報と前記第１の記憶媒体に記憶された仮入場者識別情報とを比較し、前記入力された仮入場者識別情報と一致する仮入場者識別情報を前記第１の記憶媒体から特定し、特定された仮入場者識別情報に対応するメールアドレスを前記第１の記憶媒体から抽出し、抽出されたメールアドレスとＩＣチップ付き入場券から読み取られた入場者識別情報とを対応づけて前記第１の記憶媒体に記憶させ、前記第２記憶制御手段は前記画像を送信した携帯電話機に固有のメールアドレスに対応する入場者識別情報を前記第１の記憶媒体から抽出し、抽出された入場者識別情報に前記受信した画像を対応させて前記第２の記憶媒体に記憶させる請求項１に記載の写真サービスシステムを提供する。
【０００７】
この発明によると、事前に発行された仮入場者識別情報を介してメールアドレスと入場者識別情報とを対応づけることにより、電子メールで画像を送信するユーザが真正であるか否かをメールアドレス及びそれに対応する入場者識別情報から判別することができる。
【０００８】
請求項３に係る発明は、前記受信手段はカメラ付き携帯電話機のユーザが撮影を行うべき施設内の所定の場所であるフォトスポットの場所に関する情報である場所情報を前記画像とともに受信し、前記第２記憶制御手段は前記場所情報を前記画像に対応させて前記第２の記憶媒体に記憶させ、前記プリント手段は所定のテンプレート画像における前記場所情報に対応する位置に前記場所情報に対応する画像を合成した合成画像をプリントする請求項１又は２に記載の写真サービスシステムを提供する。
【０００９】
この発明によると、ユーザの撮影画像がテンプレート画像の場所情報に対応する位置に合成されるため、各フォトスポットを来訪した記念写真としての合成画像の価値を高めることができる。
【００１０】
請求項４に係る発明は、前記場所情報はカメラ付き携帯電話機から入力されたフォトスポットの番号である請求項３に記載の写真サービスシステムを提供する。
【００１１】
各フォトスポットに固有の番号を割り振り、番号は各フォトスポットの見えやすい位置に立て看板などで提示すればよい。
【発明の効果】
【００１２】
この発明によると、ＩＣチップ付き入場券から読み取られた入場者識別情報に対応する画像をプリントするため、ＩＣチップ付き入場券を保有する真正なユーザだけが画像をプリントできる。
【発明を実施するための最良の形態】
【００１３】
以下、添付した図面を参照し本発明の好ましい実施の形態を説明する。
【００１４】
［機能構成］
図１は本発明の好ましい実施形態に係る写真サービスシステムのブロック構成図である。このシステムは、テーマパークのような一定の施設内で使用するシステムである。このシステムは、予め処理センタ１にメールアドレスの登録された携帯電話機２のユーザ（以下携帯ユーザという）に施設の所定の場所に設置された１又は複数のフォトスポットで撮影を行わせ（以下フォトラリーという）、各フォトスポットで撮影した画像を処理センタ１に送信させる。携帯電話機２から送信された画像は処理センタ１で施設に固有のテンプレート画像と合成され、その合成画像である記念プリントをプリンタ５でプリントして携帯ユーザに提供する。このシステムは、施設の所定の場所に設置されるパソコンサーバなどで構成された処理センタ１と、施設の入場者の保有するカメラ付き携帯電話機（以下単に携帯電話機という）２と、施設内の各所に移動する携帯電話機２と無線通信接続しネットワーク４を介して処理センタ１と接続させる携帯電話無線中継局３とを含む。
【００１５】
携帯電話機２は、携帯電話無線中継局３と無線通信して処理センタ１と処理部２２との間で画像の添付された電子メールその他の各種データを送受信する送受信部２１と、演算装置（ＣＰＵ）で構成され各種処理を行う処理部２２と、被写体を撮像してその画像を処理部２２に出力する撮像部２３と、撮影された画像などを表示するＬＣＤなどの表示部２４と、撮像指示その他の指示操作を受け付ける操作部２５と、処理部２２の実行するプログラムや画像などの各種データを記憶する記憶部２６を有している。記憶部２６には携帯電話機２に固有の電子メールアドレスが記憶されており、この携帯電話機２は電子メールアドレスを用いて電子メールを送受信する。
【００１６】
処理センタ１は、インターネットなどのネットワーク４を介してデータ通信を行う送受信部１１と、演算装置（ＣＰＵ）などで構成された処理部１２と、各携帯ユーザに配布されたＩＣチップ付き入場券７のＩＣチップに記憶された固有の入場券ＩＤを読み取るＩＣチップリーダ１３と、各種入力操作及び指示操作を受け付ける操作部１４と、画像の送信を許可する携帯ユーザを管理する情報を記憶するユーザデータベース（ＤＢ）１５と、携帯電話機２から送信された画像を管理する画像データベース（ＤＢ）１６を有している。
【００１７】
図２はユーザＤＢ１５に記憶される情報の概念説明図である。ユーザＤＢ１５には、入場券ＩＤと、仮ＩＤと、メールアドレスとが対応づけられて記憶されている。仮ＩＤはこのシステムの利用を希望するユーザに事前発行される一時的なＩＤである。メールアドレスは仮ＩＤの発行されたユーザの保有する携帯電話機２に固有のメールアドレスである。入場券ＩＤは仮ＩＤの発行されたユーザに配布されたＩＣチップ付き入場券７から読み取られた入場券ＩＤである。後述のように、仮ＩＤとメールアドレスとの対応づけは、処理センタ１の操作部１４から入力された仮ＩＤと一致する仮ＩＤをユーザＤＢ１５から抽出し、抽出された仮ＩＤに対応するメールアドレスとＩＣチップ付き入場券７から読み取られた入場券ＩＤとを対応づけることで行われる。
【００１８】
図３は画像ＤＢ１６に記憶される情報の概念説明図である。画像ＤＢ１６には、入場券ＩＤと画像とが対応づけられて記憶されている。画像は撮影されたフォトスポットの場所を示す情報（以下撮影場所情報という）に対応づけられることで分類されている。例えば、画像「image1.jpg」、「imaga2.jpg」、及び「imaga3.jpg」は、それぞれ３つのフォトスポットの位置する場所である「場所１」、「場所２」、「場所３」に分類される。フォトスポットの数は特に限定する必要はなく、施設内にいくつあってもよい。どの画像がどのフォトスポットで撮影された画像であるかを示す撮影場所情報は、画像の送信時にユーザが携帯電話機２の操作部２５から入力する。即ち、どの画像がどのフォトスポットで撮影されたものであるかは、ユーザの自己申告に委ねられている。つまり、本システムは厳密な撮影場所を要求するのではないため、画像撮影時の位置情報を携帯電話機２に内蔵のＧＰＳ端末機能などから取得して処理センタ１に送信するといった複雑な処理を行う必要はない。入場券ＩＤは、画像を送信した携帯電話機２のメールアドレスに対応する入場券ＩＤである。即ち、例えばユーザＤＢ１５において、メールアドレス「xyz@aaa.com」の携帯電話機２に対応する入場券ＩＤは「0123456」であるから、メールアドレス「xyz@aaa.com」の携帯電話機２から送信された画像「image1.jpg」、「imaga2.jpg」、及び「imaga3.jpg」には、入場券ＩＤ「0123456」が対応する。
【００１９】
［写真サービスシステムで実行される処理］
次に、図４のフローチャートに基づき、写真サービスシステムで実行される処理の流れを説明する。Ｓ１では、フォトラリーを行おうとする携帯ユーザが、携帯電話機２から処理センタ１に件名及び本文に何も記述しないメール（空メール）を送信する。空メールの送信先アドレスは、処理センタ１の公開するホームページなどから取得させればよい。Ｓ２では、処理部１２は空メールの受信に応じて一意的な仮ＩＤを発行し、この仮ＩＤと空メールの送信元のメールアドレスとを対応づけてユーザＤＢ１５に記憶する。同時に、処理部１２は発行した仮ＩＤを記述した電子メールを空メールの送信元アドレス（即ち携帯電話機２）に送信する。この電子メールに記述された仮ＩＤは表示部２４で表示させることができる。
【００２０】
Ｓ３では、携帯ユーザが処理センタ１の作業スタッフに提示したＩＣチップ付き入場券７からＩＣチップリーダ１３で固有の入場券ＩＤを読み取らせる。ＩＣチップ付き入場券７は、フォトラリー開始までにフォトラリーを行う携帯ユーザに配布しておけばよいが、他の一般の施設利用者にも入場前に入場券として配布し、入場者を識別する必要のある何らかのサービス（例えば、プリペイド式電子マネーの決済やポイントの付与）に使用してもよい。ＩＣチップリーダ１３で読み取られた入場券ＩＤは処理部１２に出力される。
【００２１】
Ｓ４では、作業スタッフは入場券ＩＤの読み取りに引き続き、携帯ユーザに発行した仮ＩＤを操作部１４から入力するよう携帯ユーザに促す。携帯ユーザは処理センタ１から送信された電子メールに記述された仮ＩＤを表示部２４で確認し、操作部１４から入力する。操作部１４から入力された仮ＩＤは処理部１２に出力される。Ｓ５では、処理部１２は操作部１４から入力された仮ＩＤに一致する仮ＩＤがユーザＤＢ１５に記憶されているか否かを判断する。一致する仮ＩＤがある場合はＳ６に移行し、ない場合はＳ４に戻って再び仮ＩＤの入力を促す。即ち、ユーザＤＢ１５に記憶されている仮ＩＤが入力されない限り処理ステップＳ６以降は実行されない。所定の回数だけＳ４が繰り返された場合はＳ４に戻らずこの処理を終了してもよい。
【００２２】
Ｓ６では、処理部１２は入力した仮ＩＤに対応するメールアドレスをユーザＤＢ１５から抽出し、抽出したメールアドレスとＳ３で読み取った入場券ＩＤとを対応づけてユーザＤＢ１５に記憶する。この処理ステップＳ６が終了したことを作業スタッフが確認すると、携帯ユーザにフォトラリーの遊び方やフォトスポットの場所などを記載した案内書を交付する。Ｓ７では、携帯ユーザは、案内書に従ってフォトスポットに赴き、そこで撮像部２３による撮影を行う。撮影した画像は記憶部２６に記憶される。各フォトスポットには固有の番号が撮影場所情報として割り振られており、番号は各フォトスポットの見えやすい位置に立て看板などで提示されている。Ｓ８では、携帯ユーザは撮影場所情報として各フォトスポットの番号を操作部２５から入力し、記憶部２６に記憶された画像のうちその番号のフォトスポットで撮影された画像を選択し、入力された番号が本文又は件名に記述されておりかつ選択された画像の添付された電子メールを処理センタ１のアドレスに送信する。なお、各フォトスポットの撮影場所情報を記憶した記憶媒体を備えるＩＣチップリーダを各フォトスポットに配置し、各フォトスポットでＩＣチップ付き入場券をこのＩＣチップリーダから読み込ませると入場券ＩＤと撮影場所情報とが対応して各フォトスポットのＩＣチップリーダから処理センタ１に送信されるようにしてもよい。この場合、ユーザは携帯電話機２から画像を処理センタ１に送信すれば、画像と入場券ＩＤとがメールアドレスを介して対応するため、画像送信の度に操作部２５から撮影場所情報を入力しなくてもよい。Ｓ９では、処理部１２は、画像の添付された電子メールから撮影場所情報である番号を読み出し、その撮影場所情報に基づいて添付された画像を分類した上、受信した電子メールの送信元アドレスに対応する入場券ＩＤをユーザＤＢ１５から抽出し、抽出した入場券ＩＤと撮影場所情報に基づいて分類した画像とを対応づけて画像ＤＢ１６に記憶する。
【００２３】
なお、処理ステップＳ７〜９は、フォトスポットの数だけ繰り返し実行でき、携帯ユーザが各フォトスポットで撮影した画像を送信する度に繰り返される。この際、Ｓ９で画像が正常に記憶された場合は、当該撮影場所情報における画像を受信した旨のメッセージを記述した電子メールを処理センタ１から携帯電話機２に送信してもよい。あるいは、まだ撮影を行っていないフォトスポット、即ち対応する撮影場所情報が画像とともに携帯電話機２から送信されていないフォトスポットがあるか否かを判断し、そのようなフォトスポットがある場合はそのフォトスポットを指定するメッセージを記述した電子メールを携帯電話機２に返信し、全てのフォトスポットの場所情報が画像とともに携帯電話機２から送信された場合はフォトラリーが終了した旨、記念プリントの出来上がり時間などを記述した電子メールを携帯電話機２に返信してもよい。
【００２４】
Ｓ１０では、フォトラリーを終了した携帯ユーザが処理センタ１の作業スタッフに再びＩＣチップ付き入場券７を提示して記念プリントを注文する。処理部１２がＩＣチップ付き入場券７からＩＣチップリーダ１３で固有の入場券ＩＤを読み取ると、読み取った入場券ＩＤに対応する画像を画像ＤＢ１６から抽出する。そして、抽出された画像に対応する撮影場所情報に基づき、画像をテンプレート画像の所定位置に合成する。画像を合成する位置は撮影場所情報と対応している。図５に示すように、記念プリントは、テンプレート画像の撮影場所情報に対応する位置に各画像を合成した画像をプリントしたものである。一例として、この図では、撮影場所情報「１」に対応するテンプレート画像上の位置ＦＳ１に画像「image1.jpg」で示される画像Ｉ１、撮影場所情報「２」に対応するテンプレート画像上の位置ＦＳ２に画像「image2.jpg」で示される画像Ｉ２、撮影場所情報「３」に対応するテンプレート画像上の位置ＦＳ３に画像「image3.jpg」で示される画像Ｉ３を合成している。Ｓ１１では、合成した画像をプリンタ５でプリントして携帯ユーザに提供する。
【００２５】
以上のように、ユーザの撮影画像は施設に固有のテンプレート画像のフォトスポット対応位置に合成されるため、各フォトスポットを来訪した記念写真としての価値を高めることができる。
【図面の簡単な説明】
【００２６】
【図１】本発明の好ましい実施形態に係る写真サービスシステムのブロック構成図
【図２】ユーザＤＢに記憶される情報の概念説明図
【図３】画像ＤＢに記憶される情報の概念説明図
【図４】本システムで実行される処理の流れを示すフローチャート
【図５】記念プリントの一例を示す図
【符号の説明】
【００２７】
１：処理センタ、２：カメラ付き携帯電話機、７；ＩＣチップ付き入場券、１３：ＩＣチップリーダ
【図１】
2005339337.tif 000003
【図２】
2005339337.tif 000004
【図３】
2005339337.tif 000005
【図４】
2005339337.tif 000006
【図５】
2005339337.tif 000007